(57)【要約】【課題】注入孔から離隔した所望領域に重量調整材を配設できる中空ヘッドを有するゴルフクラブを提供する。【解決手段】中空ヘッドのサイド領域１０Ｔ，１０Ｂ，１０Ｈの壁１０Ｂに貫通した注入孔Ｋ１，Ｋ２，Ｋ３又はシャフト止着用の貫通孔からなる注入孔を１個又は複数個有し、少なくとも１個の注入孔Ｋ２につき、その位置から離隔したヘッド内の所定位置に、ヘッド外郭壁１０Ｓの内面に立設一体化したリブＲ３によって取り囲んだ収容部ＳＢを設け、該収容部と前記注入孔との間に介在し、該注入孔を介して注いだ液状物を前記収容部にまで案内でき、前記収容部の幅よりも狭い幅であって、ヘッド外郭壁内面に立設一体化した１対のリブＲ１，Ｒ２を両側壁とする案内路ＡＢを有し、該案内路のリブは前記収容部を取り囲んだリブＲ３に連結一体化されて案内路が前記収容部と連通しているよう構成する。【選択図】図３
2008086337.tif 000002
【特許請求の範囲】
【請求項１】
中空ヘッドのサイド領域の壁に貫通した注入孔又はシャフト止着用の貫通孔からなる注入孔を１個又は複数個有し、少なくとも１個の注入孔につき、その位置から離隔したヘッド内の所定位置に、ヘッド外郭壁内面に立設一体化したリブによって取り囲んだ収容部を設け、該収容部と前記注入孔との間に介在し、該注入孔を介して注いだ液状物を前記収容部にまで案内でき、前記収容部の幅よりも狭い幅であって、ヘッド外郭壁内面に立設一体化した１対のリブを両側壁とする案内路を有し、該案内路のリブは前記収容部を取り囲んだリブに連結一体化されて案内路が前記収容部と連続していることを特徴とする中空ヘッドを有するゴルフクラブ。
【請求項２】
中空ヘッドのサイド領域の壁に貫通した注入孔又はシャフト止着用の貫通孔からなる注入孔を１個又は複数個有し、少なくとも１個の注入孔につき、その注入孔の位置するヘッドの面領域とは異なる他の面領域に収容部を有し、注入孔を介して注いだ液状物を前記収容部にまで案内できる案内路を有することを特徴とする中空ヘッドを有するゴルフクラブ。
【請求項３】
前記収容部の幅よりも前記案内路の幅が狭い請求項２記載の中空ヘッドを有するゴルフクラブ。
【請求項４】
前記収容部は、ヘッド外郭壁内面に立設一体化されたリブによって囲われ、前記案内路は、ヘッド外郭壁内面に立設一体化された一対のリブを左右壁として有し、該案内路のリブは前記収容部を取り囲んだリブに連結一体化されて該案内路が前記収容部と連続している請求項３記載の中空ヘッドを有するゴルフクラブ。
【発明の詳細な説明】
【技術分野】
【０００１】
本発明は、所謂、ウッドヘッドとも称される中空タイプのヘッドを有するゴルフクラブに関する。
【背景技術】
【０００２】
メーカーにおいて、中空ヘッドを一種類製造し、この内部に重量調整材を入れて重心位置や慣性モーメントを変化させ、ゴルファーの打撃癖に合致した打ち易い重量配置のヘッドを複数種類準備したり、また、販売店において、顧客であるゴルファーの打撃癖を考慮し、適宜重量調整材を選択したりして、ゴルファーの打撃癖に合致した打ち易い重量配置のヘッドを提供することが行われている。下記特許文献はこうした重量調整構造を開示している。
【特許文献１】特開平８−１１２３７９号公報
【特許文献２】特開２００２−１１１２３号公報
【特許文献３】特開２０００−３２５５０７号公報
【特許文献４】特開２００４−１２１７４４号公報
【発明の開示】
【発明が解決しようとする課題】
【０００３】
然しながら、特許文献１，２では、重量配置する領域には区切り部も無く、ヘッドの外郭を成す壁によって囲まれた広い内部領域に広がる重量配設構造となり、特定の小さな所望範囲を選択して配設できるものではない。特許文献３，４では、隔壁によって重量調整材の配設領域を特定できるが、注入孔の近くにのみ配設する構造である。
依って解決しようとする課題は、注入孔から離隔した所望領域に重量調整材を配設できる中空ヘッドを有するゴルフクラブを提供する。
【課題を解決するための手段】
【０００４】
第１の発明では、中空ヘッドのサイド領域の壁に貫通した注入孔又はシャフト止着用の貫通孔からなる注入孔を１個又は複数個有し、少なくとも１個の注入孔につき、その位置から離隔したヘッド内の所定位置に、ヘッド外郭壁内面に立設一体化したリブによって取り囲んだ収容部を設け、該収容部と前記注入孔との間に介在し、該注入孔を介して注いだ液状物を前記収容部にまで案内でき、前記収容部の幅よりも狭い幅であって、ヘッド外郭壁内面に立設一体化した１対のリブを両側壁とする案内路を有し、該案内路のリブは前記収容部を取り囲んだリブに連結一体化されて案内路が前記収容部と連続していることを特徴とする中空ヘッドを有するゴルフクラブを提供する。
【０００５】
第２の発明では、中空ヘッドのサイド領域の壁に貫通した注入孔又はシャフト止着用の貫通孔からなる注入孔を１個又は複数個有し、少なくとも１個の注入孔につき、その注入孔の位置するヘッドの面領域とは異なる他の面領域に収容部を有し、注入孔を介して注いだ液状物を前記収容部にまで案内できる案内路を有することを特徴とする中空ヘッドを有するゴルフクラブを提供する。
注入孔がシャフト止着用貫通孔の場合、注入孔の位置するヘッドの面領域はクラウン部領域と考えることができる。
ソール部領域とサイド領域との面領域の区別に関しては、稜線が明確な場合はその稜線で分けることができるが、稜線が明瞭でない場合は、ヘッドを水平面にライ角通りに載置した場合に、その水平面から高さ５ｍｍまでの範囲をソール部とする。
【０００６】
第３の発明では、前記収容部の幅よりも前記案内路の幅が狭い第２の発明記載の中空ヘッドを有するゴルフクラブを提供する。
第４の発明では、前記収容部は、ヘッド外郭壁内面に立設一体化されたリブによって囲われ、前記案内路は、ヘッド外郭壁内面に立設一体化された一対のリブを左右壁として有し、該案内路のリブは前記収容部を取り囲んだリブに連結一体化されて該案内路が前記収容部と連続している第３の発明記載の中空ヘッドを有するゴルフクラブを提供する。
【発明の効果】
【０００７】
液状物としての液状になった重量調整材を注入できる注入孔は、フェース部領域はもとより、視認性の高いクラウン部領域や、打撃時に擦るソール部領域には設けるべきではない。従って、シャフト止着用の貫通孔を利用する以外では、注入孔はヘッドのサイド領域に設けるという制約が生じるが、調整重量配置位置の要求はこうした注入孔から離れた位置にも生じ得る。そこで第１の発明では、注入孔から離隔した位置まで案内路を設けるということが要件となる。このことは第２の発明でも同様である。
ヘッド外郭壁に一体化したリブによって細幅の案内路を設けており、これによって注入孔から離隔した所望位置の収容部に対して液状物として液状重量調整材を流し込め、該液状重量調整材が固化すれば重量調整ができる。即ち、ヘッド形成後の、必要に応じたヘッド重量調整が可能となる。また、液状物がこの案内路に幾分かくっついて残ることがあり得るが、細幅の案内路であるため、案内路の横断面の面積を小さくできて、ここにくっついて残る量を可及的に低減でき、予定していない部位に対して、可及的に液状物の固化したものを残さないで済む。こうしたヘッド内の所望の部分的領域のみの重量を大きくすると、打球時に、この部分（収容部）の振動状況が、その周辺部分と大きく異なり、異音が発生して打撃音が良くない。しかし、案内路のリブはヘッド外郭壁と一体化されており、収容部のリブとも連結一体化されているため、収容部周辺領域の撓み剛性を向上させ、収容部のみの集中的重量増加に起因する打撃音の不快さを軽減できる。特に収容部の位置する外郭壁の厚さが１．５ｍｍ以下の薄さになると、こうした傾向が強くなるため、リブの効果が大きくなる。
【０００８】
第２の発明では、重量調整材を収容させる収容部は、注入孔の位置するヘッドの面領域とは異なる他の面領域に位置している、即ち、離隔しているが、ヘッド形成後に、案内路によって離隔した収容部に液状重量調整材を送り、容易に重量調整することができる。
【０００９】
第３の発明は、収容部より案内路の幅を小さくし、案内路の横断面の面積を小さくできて、ここにくっついて残る量を可及的に低減でき、予定していない部位に対して、可及的に液状物の固化したものを残さないで済む。
第４の発明では、第１の発明と同様な作用効果を奏する。
【発明を実施するための最良の形態】
【００１０】
以下、本発明を図面を用いて詳細に説明する。図１は本発明に係る中空ヘッド１０を有するゴルフクラブを、水平面上にライ角θ通りに載置した状態の正面図、図２は図１の拡大背面図、図３は図１の矢視線Ｃ−Ｃによる拡大平面視断面図、図４は図３の矢視線Ｄ−Ｄによる横断面図、図５は図３の矢視線Ｅ−Ｅによる断面図である。シャフトＳはシャフト止着用のホーゼル部ＨＺに挿入固定されている。ヘッド１０の外郭は、バック部領域１０Ｂと、トウ部領域１０Ｔと、ヒール部領域１０Ｈとからなるサイド領域と、該サイド領域の下側のソール部領域１０Ｓと、上側のクラウン部領域１０Ｃと、前側のフェース部領域１０Ｆとを有している。
【００１１】
サイド領域に属するバック部領域１０Ｂの壁に３個の注入孔Ｋ１，Ｋ２，Ｋ３を近接して設け、これらの外側を蓋部材２０を、図示しないネジ部材によって通常時は閉じている。中空ヘッド１０は、この例では全体を金属で形成している。しかし、フェース部領域１０Ｆのみは、他とは異なる反発性の良い金属板材で形成したフェース部材ＦＢを溶接して構成している。また、クラウン部領域は繊維強化合成樹脂等の金属以外の材料で形成されることもあるが、通常、サイド領域とソール部領域１０Ｓとはチタン合金等の金属によって、鋳造によって一体形成される。
【００１２】
このように、金属で一体成形されたサイド領域とソール部領域１０Ｓにおいて、注入孔から、該注入孔の位置するサイド領域（ここでは、注入孔の位置する面領域はバック部領域１０Ｂである）を通ってソール部領域１０Ｓの所定位置の領域にまで、リブを使って案内路ＡＢ，ＡＢ’，ＡＢ”を形成し、その所定位置に、リブを使って収容部ＳＢ，ＳＢ’，ＳＢ”が形成されている。具体的には、中央位置の注入孔Ｋ２に対しては、ここを介して注がれた液状の重量調整材を受けて収容部ＳＢまで案内することのできるように、バック部領域１０Ｂとソール部領域１０Ｓの各壁と一体形成されたリブＲ１，Ｒ２を左右壁とし、ヘッドの外郭壁（バック部領域とソール部領域の各壁）内面を底面とした断面コ字状の細長形状の案内路ＡＢを形成している。
【００１３】
この案内路の先部に、ソール部領域１０Ｓの壁と一体形成されたリブＲ３によって取り囲まれた収容部ＳＢが位置している。取り囲まれたとはいっても、案内路ＡＢと連続するため、一部は開放されている。このリブＲ３は前記１対のリブＲ１，Ｒ２と連結一体化されている。また、収容部ＳＢの幅は１対のリブ間隔よりも広く、収容部に所定の重量が配設できるように構成している。リブＲ１，Ｒ３，Ｒ２によって、しゃもじ形状の領域を区画形成している。
【００１４】
ここで、液状の重量調節材は、例えば、接着剤等の合成樹脂、接着剤等の合成樹脂にステンレス等の種々の金属粉を入れて重くしたもの（ＩＴＷインダストリー社が販売する金属補修剤「デブコンＢ」（商品名）や、ロックタイト社が販売する金属補修用エポキシ等）があり、これらは常温、或いは幾分加熱することによってやがて固化し、ヘッドの外郭壁内面にくっつくものである。金属粉入りの接着剤では、流動性の高いものがよく、特に１液熱硬化性のものがよいが、２液の反応型のものでもよい。また、このような合成樹脂に代わり、低融点金属（スズや鉛等）を加熱溶融させて流し込むことも可能である。その場合、ヘッド本体の材料よりも融点が低いことが必要であり、また、ヘッド表面の塗装に悪影響を及ぼさない温度が好ましい。
【００１５】
上記説明した収容部ＳＢは、フェース部領域１０Ｆに近いが、該フェース部領域１０Ｆから離隔しているソール部領域に位置している。このような、微妙な特定所望位置に調整重量を配設できるのは、（細長形状の）案内路ＡＢを使用することによって、注入孔から液状重量調整材を送ることができるからである。リブＲ３の高さを４ｍｍとした場合、他のリブＲ１，Ｒ２は３ｍｍでよい。即ち、案内路のリブ高さは、液状物を案内できればよいため、収容部ＳＢのリブ高さよりも低くすることができる。また、打撃音の観点から、ソール部領域１０Ｓの撓み剛性を向上させる程度に応じて、即ち、ソール部領域１０Ｓの壁厚に対して、相対的にリブの高さとリブ厚さを設定することも重要である。このように、ヘッドの外郭壁内面に立設して一体化させたリブは、リブの上縁側が開放されているため、鋳造の際の型が容易に形成でき、こうした収容部や案内路を形成するために、特別高価な複雑な型を準備する必要が無い。
【００１６】
他の注入孔Ｋ１を介して注いだ液状重量調節材は、他の案内路ＡＢ’を通って他の収容部ＳＢ’に収容できる。この案内路ＡＢ’はバック部領域１０Ｂとソール部領域１０Ｓの各壁と一体形成されたリブを左右壁としているが、収容部ＳＢ’はこれらのリブの先方部分と、トウ部領域１０Ｔの壁内面とによって区画形成しているが、収容部の幅は案内路の幅よりも広い。
【００１７】
注入孔Ｋ３については、案内路ＡＢ”自体も左右の一側がリブであり、他側はバック部領域１０Ｂの壁内面を使用している。この案内路ＡＢ”のリブはバック部領域１０Ｂとソール部領域１０Ｓの各壁と一体形成されたリブである。また、収容部ＳＢ”は、上記リブの先方部分とヒール部領域１０Ｈの壁内面とによって区画形成しているが、収容部の幅は案内路の幅よりも広い。
【００１８】
顧客の打撃癖に応じて、これらの３つの収容部の中から、適切な１個又は２個以上の収容部を選択し、その中に重量調整材を配設する。
【００１９】
図６は、注入孔Ｋ４がシャフト止着用のホーゼル部ＨＺに貫通した貫通孔である場合を例示しており、トウ・ヒール方向の平面による断面であり、バック側から見た図である。この例では、フェース部１０Ｆのフェース部材ＦＢ内面にリブＲ３’を立設一体化させて、フェース部領域中央に収容部ＳＢＨを形成し、注入孔Ｋ４と収容部ＳＢＨを案内路ＡＢＨで連絡している。即ち、フェース部材ＦＢの内面に１対のリブＲ１’，Ｒ２’を立設一体化させて案内路ＡＢＨを形成している。この案内路の幅は収容部の幅よりも細い。また、これらの各リブＲ１’，Ｒ２’は前記リブＲ３’と連結されている。
【００２０】
この場合の重量調整は、主に打撃時の打球フィーリングを変えるためであり、重量調整材としては、振動吸収性の高い合成樹脂材が好ましい。例えば、ジェルテック社が販売する「アルファーゲル」（商品名）が効果的である。
【００２１】
図７は、注入孔Ｋ４がホーゼル部ＨＺに貫通した貫通孔である場合の他の例を示しており、フェース・バック方向の平面による断面であり、トウ側から見た図である。ヒール部領域１０Ｈとソール部領域１０Ｓとに亘って、これら領域に立設一体化したリブＲ４が延伸している。リブＲ４の位置は、このリブとヘッドの外郭壁内面との間で、注入孔Ｋ４から注がれた液状重量調整材を受けることができる位置のヒール部領域１０Ｈから延伸し始め、フェース部領域１０Ｆとソール部領域１０Ｓとの境界部に沿って延伸しており、この境界部を収容部とする。即ち、収容部はフェース部領域内面と当該リブＲ４との間である。従って、ヒール部領域の所定位置から収容部である境界部に至るまでが案内路となり、リブＲ４とフェース部領域１０Ｆの内面とに挟まれて案内路が形成されている。
【００２２】
この場合の重量調整材は、上記境界部を正確に区画するリブＲ４を設けつつ、シャフト止着用の貫通孔Ｋ４を利用して他に余分な孔を設けることなく、狙いとする上記境界部にのみ配設できるため、フェース部領域１０Ｆの撓み性能を低減させる作用を奏し、フェース部領域１０Ｆの反発特性の代用値であるＣＴ値を小さく調整することができる。
【産業上の利用可能性】
【００２３】
本発明は、中空ヘッドを有するゴルフクラブに利用できる。
【図面の簡単な説明】
【００２４】
【図１】図１は本発明に係る中空ヘッドを有するゴルフクラブの正面図である。
【図２】図２は図１の拡大背面図である。
【図３】図３は図１の矢視線Ｃ−Ｃによる拡大平面視断面図である。
【図４】図４は図３の矢視線Ｄ−Ｄによる断面図である。
【図５】図５は図３の矢視線Ｅ−Ｅによる断面図である。
【図６】図６は本発明に係るゴルフクラブの他の例のヘッド部のトウ・ヒール方向の平面による断面であり、バック側から見た図である。
【図７】図７は本発明に係るゴルフクラブの他の例のヘッド部のフェース・バック方向の平面による断面であり、トウ側から見た図である。
【符号の説明】
【００２５】
１０                            中空ヘッド
ＡＢ，ＡＢ’，ＡＢ”，ＡＢＨ      案内路
Ｋ１，Ｋ２，Ｋ３，Ｋ４          注入孔
Ｒ１，Ｒ２，Ｒ３，Ｒ３’，Ｒ４    リブ
ＳＢ，ＳＢ’，ＳＢ”，ＳＢＨ      収容部
【図１】
2008086337.tif 000003
【図２】
2008086337.tif 000004
【図３】
2008086337.tif 000005
【図４】
2008086337.tif 000006
【図５】
2008086337.tif 000007
【図６】
2008086337.tif 000008
【図７】
2008086337.tif 000009